(57)【要約】【課題】投入した雪を有効的、効果的に融かしていくことができ、しかも、イニシャルコストもランニングコストも低く抑えることができる融雪システムを提供する。【解決手段】太陽光を受けることが可能な貯水融雪槽１の水面に、上部を雪受け部３ａとする浮子３が浮かばされ、該雪受け部３ａにカーボングラファイトシート４等の太陽熱吸収層が設けられている。浮子３が発泡樹脂等の断熱材からなっているとよい。また、浮子３は、複数ないしは多数、隣り合うようにして浮かばされているとよい。【選択図】      図１
2009155856.tif 000002
【特許請求の範囲】
【請求項１】
太陽光を受けることが可能な貯水部の水面に、上部を雪受け部とする浮子が浮かばされ、該雪受け部に太陽熱吸収層が設けられていることを特徴とするソーラー融雪システム。
【請求項２】
前記太陽熱吸収層がカーボングラファイトシートからなる請求項１に記載のソーラー融雪システム。
【請求項３】
前記浮子が断熱材からなる請求項１又は２に記載のソーラー融雪システム。
【請求項４】
前記貯水部の水面に、前記浮子が、複数、隣り合うようにして浮かばされている請求項１乃至３のいずれか一に記載のソーラー融雪システム。
【請求項５】
前記浮子をポジティブに揺動させる手段が備えられている請求項１乃至４のいずれか一に記載のソーラー融雪システム。
【発明の詳細な説明】
【技術分野】
【０００１】
本発明は、ソーラー融雪システムに関する。
【背景技術】
【０００２】
積もった雪を融雪槽に投入し、槽内の雪をヒーターや、地下水を用いた散水で融かすようになされた融雪設備は、従来より提供されている。
【特許文献１】特開平１１−１６６２１５号公報
【発明の開示】
【発明が解決しようとする課題】
【０００３】
しかしながら、ヒーターの使用では、電力を必要とするため、ランニングコストが高くついてしまうと共に、地下水を用いた散水では、散水のための設備を必要とするため、イニシャルコストが高くつくという問題がある。
【０００４】
本発明は、上記のような問題点に鑑み、投入した雪を有効的、効果的に融かしていくことができ、しかも、イニシャルコストもランニングコストも低く抑えることができる融雪システムを提供することを課題とする。
【課題を解決するための手段】
【０００５】
上記の課題は、太陽光を受けることが可能な貯水部の水面に、上部を雪受け部とする浮子が浮かばされ、該雪受け部に太陽熱吸収層が設けられていることを特徴とするソーラー融雪システムによって解決される（第１発明）。
【０００６】
このシステムでは、雪を浮子の雪受け部に受けさせた状態となるように投入すると、太陽の射す日中に、太陽熱吸収層が太陽熱を受けて加温され、その熱で雪受け部の雪が融かされ、貯水部内に流れ込んで、投入された雪を有効的に融かしていくことができる。
【０００７】
特に、浮子における雪受け部上の雪は不均一に融けていく性質を有しているため、浮子が重心移動によって揺動を起こすことも相俟って、太陽熱吸収層において太陽熱を直接的に受ける部分が発生ないしは増加すると、雪は促進的に融かされていき、効果的な融雪作用が行われる。
【０００８】
第１発明において、太陽熱吸収層がカーボングラファイトシートからなっている場合は（第２発明）、カーボングラファイトシートの一部が、太陽光を、雪を介することなくないしはほとんど介することなく直接的に受けると、その太陽熱は、カーボングラファイトシートの有する特性にしたがって、そのシートの前記一部から残部へと面方向に高速に伝わって、その熱によって残部の雪を効果的かつ促進的に融かしていくことができる。
【０００９】
第１，第２発明において、前記浮子が断熱材からなっている場合は（第３発明）、太陽熱吸収層ないしはカーボングラファイトシートの厚さ方向における伝熱が阻止され、特にカーボングラファイトシートの場合は面方向への伝熱が促進され、浮子の雪受け部に受けられた雪を効果的に融かしていくことができる。
【００１０】
第１〜第３発明において、前記貯水部の水面に、前記浮子が、複数、隣り合うようにして浮かばされているとよい（第４発明）。この場合は、複数の浮子に渡るように投入された雪の融け方の不均一性により、浮子間で段差を生じさせようとする力が働き、その力によって、雪が動かされ、太陽熱吸収層やカーボングラファイトシートが太陽熱を受けやすくなって、雪受け部上の雪を効果的に融かしていくことができる。
【００１１】
第１〜第４発明において、前記浮子をポジティブに揺動させる手段が備えられている場合は（第５発明）、その手段によって浮子を揺動させることによって、太陽熱吸収層やカーボングラファイトシートに太陽熱を受けさせやすくすることができ、雪を太陽熱で効果的に融かしていくことができる。
【００１２】
そして、第１〜第５発明によれば、貯水部の水面に浮子を浮かばせた簡素な基本構成のものからなる融雪システムであるから、イニシャルコストを低く抑えることができ、太陽熱を利用して融雪するものであるから、ランニングコストも低く抑えることができる。
【発明の効果】
【００１３】
本発明は、以上のとおりのものであるから、投入した雪を有効的、効果的に融かしていくことができ、しかも、イニシャルコストもランニングコストも低く抑えることができる。
【発明を実施するための最良の形態】
【００１４】
次に、本発明の実施最良形態を図面に基づいて説明する。
【００１５】
図１（イ）に示す実施形態のソーラー融雪システムにおいて、１は貯水部としての融雪槽であり、該融雪槽１は地中埋設状態に設置され、内部には、貯水２がなされ、その水面は太陽光を受けることができるようになされている。そして、融雪槽１内の水面に複数ないしは多数の浮子３…が隣り合うようにして浮かばされている。各浮子３は、発泡樹脂等の断熱材からなっていて、その平坦な上面部を雪受け部３ａとし、該雪受け部３ａには、太陽熱吸収層としてのカーボングラファイトシート４が貼り付けられている。
【００１６】
また、融雪槽１内の水２の中には、浮子３…をポジティブに揺動させる手段として、バブリング用の配管５が設置され、空気を配管５に送り込んで融雪槽１内の水中でバブリングを起こさせることで、浮子３…をポジティブに揺動させることができるようになされている。更に、本実施形態では、融雪槽１として、地熱が内部の水２に伝えられて加温される構成にされている。なお、７は水位を一定に保つための排水管である。
【００１７】
上記のソーラー融雪システムでは、図１（ロ）に示すように、融雪槽１に雪６を投入し、該雪６を浮子３…の雪受け部３ａ…に受けさせた状態にしておくと、図２（イ）に示すように、太陽の射す日中、各浮子３のカーボングラファイトシート４が太陽熱を受け、その熱により、雪６が融かされ、融雪槽１の水中に流れ込んでいき、投入された雪６を有効的に融かしていくことができる。
【００１８】
そして、このようにして融かされていく過程で、各浮子３…の雪受け部３ａ…上の雪は不均一に融けていくから、各浮子３は重心移動によって揺動を起こすことも相俟って、カーボングラファイトシート４において太陽熱を直接受ける部分が発生ないしは増加し、太陽熱は、カーボングラファイトシート４の残部へと面方向に高速に伝わって、その熱によって残部上の雪も促進的に融かされていく。
【００１９】
しかも、複数ないしは多数の浮子３…が互いに隣り合うようにして浮かばされているので、複数の浮子３…に渡るように投入された雪の融け方の不均一性により、浮子３…間で段差を生じさせようとする力が働き、その力によって、雪が動かされ、カーボングラファイトシート４が効果的に太陽熱を受けることができるようになって、雪受け部３ａ上の雪をより一層効果的に融かしていくことができる。
【００２０】
とりわけ、浮子３は断熱材からなっているので、カーボングラファイトシート４の厚さ方向における伝熱を阻止し、面方向への伝熱を促進することができて、各浮子３…の雪受け部３ａ…に受けられた雪を効果的に融かしていくことができる。
【００２１】
また、図２（ロ）に示すように、雪の投入量が多いときは、空気をバブリング配管５に送り込んで融雪槽１内の水２にバブリングを起こさせ、浮子３…をポジティブに揺動させることで、カーボングラファイトシート４への太陽熱の吸収量を大きくし、融雪を促進するようにするとよい。
【００２２】
このように、上記のソーラーシステムでは、融雪槽１内の水面に浮子３…を浮かばせた簡素な構造であるから、イニシャルコストを低く抑えることができ、太陽熱を利用して融雪するものであるから、ランニングコストも低く抑えることができる。
【００２３】
以上に、本発明の実施形態を示したが、本発明はこれに限られるものではなく、発明思想を逸脱しない範囲で各種の変更が可能である。例えば、上記の実施形態では、太陽熱吸収層がカーボングラファイトシートからなっている場合を示したが、太陽熱を吸収しやすいその他の黒色系の層からなっていてもよい。
【００２４】
また、上記の実施形態では、複数ないしは多数の浮子を浮かばせた場合を示したが、浮子の個数や形態、サイズ等の制限はない。また、浮子をポジティブに揺動させる手段は、バブリングに限らず、その他の各種手段からなっていてもよいし、そのような手段が省略されていてもよい。
【００２５】
更に、上記の実施形態では、融雪槽を使用してシステムを構成した場合を示したが、一般の池などを貯水部とし、その液面に浮子を浮かばせたソーラー融雪システムに構成することも可能である。
【図面の簡単な説明】
【００２６】
【図１】図（イ）は実施形態のソーラー融雪システムの断面正面図、図（ロ）は同システムの使用方法を示す断面正面図である。
【図２】図（イ）は同システムの作動状態を示す断面正面図、図（ロ）は同システムの他の使用方法を示す断面正面図である。
【符号の説明】
【００２７】
１…融雪槽（貯水槽）
２…水
３…浮子
３ａ…雪受け部
４…カーボングラファイトシート（太陽熱吸収層）
５…バブリング配管
６…雪
【図１】
2009155856.tif 000003
【図２】
2009155856.tif 000004